(57)【要約】【課題】接続先のネットワークスライス数の増加による無線リソースの消費や端末装置の電力の消費を抑制する。【解決手段】端末装置は複数のネットワークスライスのうち、第１のネットワークスライスに対して端末装置が通知した呼情報に含まれる接続先情報が示すネットワークスライスに、呼情報を転送する呼情報転送部を備える通信装置に対して、第１のネットワークスライス以外の第２のネットワークスライスを接続先として示す接続先情報を含む呼情報を、第１のネットワークスライスに対して通知する通知部を備える。【選択図】図１
2018170748.tif 000002
【特許請求の範囲】
【請求項１】
複数のネットワークスライスのうち、第１のネットワークスライスに対して端末装置が通知した呼情報に含まれる接続先情報が示すネットワークスライスに、前記呼情報を転送する呼情報転送部を備える通信装置に対して、前記第１のネットワークスライス以外の第２のネットワークスライスを接続先として示す接続先情報を含む呼情報を、前記第１のネットワークスライスに対して通知する通知部
を備える端末装置。
【請求項２】
複数のネットワークスライスのうち、いずれかのネットワークスライスから前記呼情報転送部の故障を示す情報を受信する故障情報受信部と、
前記故障情報受信部が受信する前記故障を示す情報に基づいて、前記第２のネットワークスライスに対して呼情報を通知する第２通知部
をさらに備える請求項１に記載の端末装置。
【請求項３】
前記呼情報には、ネットワークスライスに含まれる複数のセッションのうち、接続先のセッションを示す情報がさらに含まれる
請求項１又は請求項２に記載の端末装置。
【請求項４】
ネットワークスライスと端末装置との無線通信の接続を管理する接続管理部と、
複数のネットワークスライスのうち、第１のネットワークスライスを管理する第１の接続管理部に端末装置が通知した呼情報に含まれる接続先情報が示すネットワークスライスを管理する前記接続管理部に対して、前記第１の接続管理部に通知された前記呼情報を転送する呼情報転送部と、
複数のネットワークスライスのうち前記１のネットワークスライス以外の第２のネットワークスライスを接続先として示す前記接続先情報を含む呼情報を、前記第１のネットワークスライスを管理する前記第１の接続管理部に対して通知する通知部を備える端末装置と
を備える通信システム。
【請求項５】
前記呼情報転送部は、
前記第１の接続管理部からの前記呼情報の通知に対する応答を、前記呼情報に含まれる前記接続先情報が示すネットワークスライスを管理する前記接続管理部に対して前記呼情報を転送した後に行う
請求項４に記載の通信システム。
【請求項６】
複数のネットワークスライスのうち、いずれかのネットワークスライスを接続先として示す接続先情報を含む呼情報を端末装置から受信する呼情報受信部と、
通知された呼情報に含まれる前記接続先情報が示すネットワークスライスに前記呼情報を転送する呼情報転送部に対して、前記呼情報受信部が受信した前記呼情報を通知する呼情報通知部
を備える通信装置。
【請求項７】
複数のネットワークスライスのうち、第１のネットワークスライスに端末装置が通知した呼情報を、前記第１のネットワークスライスを管理する接続管理部から取得する呼情報取得部と、
複数のネットワークスライスのうち、前記呼情報取得部が取得する前記呼情報に含まれる接続先情報が示す第２のネットワークスライスを管理する第２の接続管理部に対して、取得された前記呼情報を転送する呼情報転送部と、
を備える通信装置。
【発明の詳細な説明】
【技術分野】
【０００１】
本発明の実施形態は、端末装置、通信システム及び通信装置に関する。
【背景技術】
【０００２】
ＬＴＥ（Ｌｏｎｇ  Ｔｅｒｍ  Ｅｖｏｌｕｔｉｏｎ）、及びＬＴＥ−Ａｄｖａｎｃｅｄのさらに次世代の移動通信方式である５Ｇの研究開発が行われている。５Ｇのモバイルコアとしてユーザ端末（Ｕｓｅｒ  Ｅｑｕｉｐｍｅｎｔ：  ＵＥ）の移動管理を行うコアネットワーク（Ｃｏｒｅ  Ｎｅｔｗｏｒｋ：  ＣＮ）では、ＵＥにネットワークスライスを提供することが想定されている（例えば、非特許文献１、２参照）。
【先行技術文献】
【非特許文献】
【０００３】
【非特許文献１】３ＧＰＰ  ＴＲ２３．７９９，  ”３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｓｅｒｖｉｃｅｓ  ａｎｄ  Ｓｙｓｔｅｍ  Ａｓｐｅｃｔｓ；  Ｓｔｕｄｙ  ｏｎ  Ａｒｃｈｉｔｅｃｔｕｒｅ  ｆｏｒ  Ｎｅｘｔ  Ｇｅｎｅｒａｔｉｏｎ  Ｓｙｓｔｅｍ（Ｒｅｌｅａｓｅ  １４）”
【非特許文献２】ＮＧＭＮ  Ａｌｌｉａｎｃｅ：  “Ｄｅｓｃｒｉｐｔｉｏｎ  ｏｆ  Ｎｅｔｗｏｒｋ  Ｓｌｉｃｉｎｇ  Ｃｏｎｃｅｐｔ”，  Ｖｅｒｓｉｏｎ  １．０，  Ｊａｎｕａｒｙ  １３，  ２０１６
【発明の概要】
【発明が解決しようとする課題】
【０００４】
端末装置（ＵＥ）が、複数のネットワークスライスに無線接続する場合、端末装置と、接続している複数のネットワークスライスのそれぞれとの間においてシグナリングメッセージが発生する。例えば、端末装置は自己の位置を定期的にネットワークスライスに通知することが求められる。この場合、端末装置が自己の位置をネットワークスライスに通知する毎に、複数のネットワークスライスに対するシグナリングメッセージが発生する。この場合、端末装置は、複数のネットワークスライスに対してそれぞれ通知しなければならず、接続先のネットワークスライス数の増加による無線リソースの消費や、端末装置の電力の消費が増加するという問題があった。
【０００５】
本発明は、接続先のネットワークスライス数の増加による無線リソースの消費や端末装置の電力の消費を抑制することができる端末装置、通信システム及び通信装置を提供することを目的とする。
【課題を解決するための手段】
【０００６】
本発明の一実施形態は、複数のネットワークスライスのうち、第１のネットワークスライスに対して端末装置が通知した呼情報に含まれる接続先情報が示すネットワークスライスに、前記呼情報を転送する呼情報転送部を備える通信装置に対して、前記第１のネットワークスライス以外の第２のネットワークスライスを接続先として示す接続先情報を含む呼情報を、前記第１のネットワークスライスに対して通知する通知部を備える端末装置である。
【０００７】
また、本発明の一実施形態の端末装置は、複数のネットワークスライスのうち、いずれかのネットワークスライスから前記呼情報転送部の故障を示す情報を受信する故障情報受信部と、前記故障情報受信部が受信する前記故障を示す情報に基づいて、前記第２のネットワークスライスに対して呼情報を通知する第２通知部をさらに備える。
【０００８】
また、本発明の一実施形態の端末装置において、前記呼情報には、ネットワークスライスに含まれる複数のセッションのうち、接続先のセッションを示す情報がさらに含まれる。
【０００９】
また、本発明の一実施形態は、ネットワークスライスと端末装置との無線通信の接続を管理する接続管理部と、複数のネットワークスライスのうち、第１のネットワークスライスを管理する第１の接続管理部に端末装置が通知した呼情報に含まれる接続先情報が示すネットワークスライスを管理する前記接続管理部に対して、前記第１の接続管理部に通知された前記呼情報を転送する呼情報転送部と、複数のネットワークスライスのうち前記１のネットワークスライス以外の第２のネットワークスライスを接続先として示す前記接続先情報を含む呼情報を、前記第１のネットワークスライスを管理する前記第１の接続管理部に対して通知する通知部を備える端末装置とを備える通信システムである。
【００１０】
また、本発明の一実施形態の通信システムにおいて、前記呼情報転送部は、前記第１の接続管理部からの前記呼情報の通知に対する応答を、前記呼情報に含まれる前記接続先情報が示すネットワークスライスを管理する前記接続管理部に対して前記呼情報を転送した後に行う。
【００１１】
また、本発明の一実施形態は、複数のネットワークスライスのうち、いずれかのネットワークスライスを接続先として示す接続先情報を含む呼情報を端末装置から受信する呼情報受信部と、通知された呼情報に含まれる前記接続先情報が示すネットワークスライスに前記呼情報を転送する呼情報転送部に対して、前記呼情報受信部が受信した前記呼情報を通知する呼情報通知部を備える通信装置である。
【００１２】
また、本発明の一実施形態は、複数のネットワークスライスのうち、第１のネットワークスライスに端末装置が通知した呼情報を、前記第１のネットワークスライスを管理する接続管理部から取得する呼情報取得部と、複数のネットワークスライスのうち、前記呼情報取得部が取得する前記呼情報に含まれる接続先情報が示す第２のネットワークスライスを管理する第２の接続管理部に対して、取得された前記呼情報を転送する呼情報転送部とを備える通信装置である。
【発明の効果】
【００１３】
本発明によれば、接続先のネットワークスライス数の増加による無線リソースの消費や端末装置の電力の消費を抑制することができる端末装置、通信システム及び通信装置を提供することができる。
【図面の簡単な説明】
【００１４】
【図１】本実施形態の通信システムが適用されるネットワークの環境の一例を示す図である。
【図２】本実施形態の通信システムの機能構成の一例を示す図である。
【図３】本実施形態の通信システムによる呼情報の転送動作の一例を示す図である。
【図４】本実施形態の通信システムにおける登録処理の動作の一例を示す図である。
【図５】本実施形態の通信システムにおけるＰＤＵセッション確立処理の動作の一例を示す図である。
【図６】本実施形態の通信システムにおけるネットワークスライスリダイレクト処理の動作の一例を示す図である。
【図７】従来技術による複数のネットワークスライスへの接続の一例を示す図である。
【発明を実施するための形態】
【００１５】
［実施形態］
以下、図を参照して本実施形態の通信システム１が適用されるネットワークの環境の概要について説明する。
図１は、本実施形態の通信システム１が適用されるネットワークの環境の一例を示す図である。
ネットワークは、端末装置ＵＥと、スライス選択部ＮＳＳＦと、コアネットワークスライスＣＮＷ−ＳＬと、呼情報保存ノードＣＩＳＦとを備える。
コアネットワークスライスＣＮＷ−ＳＬとは、ネットワークを仮想的に複数に分割（スライス）したものである。本実施形態では、ネットワークを仮想的に三つに分割することによって、コアネットワークスライスＣＮＷ−ＳＬ１、コアネットワークスライスＣＮＷ−ＳＬ２及びコアネットワークスライスＣＮＷ−ＳＬ３を形成した場合について説明する。以下の説明においてスライスを区別しない場合には、総称してネットワークスライスＳＬとも記載する。
このネットワークは、ユーザプレーンとコントロールプレーンとのいずれもが複数のネットワークスライスＳＬに分割されている。
【００１６】
スライス選択部ＮＳＳＦは、ネットワークスライスＳＬ間で共通に利用されるコントロールプレーン機能であり、コントロールプレーンノードとして、信号処理を行う。スライス選択部ＮＳＳＦは、端末装置ＵＥが接続するネットワークスライスＳＬを選択する。具体的には、スライス選択部ＮＳＳＦは、端末装置ＵＥが通知する呼情報を受け付ける。スライス選択部ＮＳＳＦは、端末装置ＵＥが通知した呼情報を受信すると、加入者データベースの情報に基づいて、該端末装置ＵＥが接続するネットワークスライスＳＬを選択する。スライス選択部ＮＳＳＦは、該端末装置ＵＥと該ネットワークスライスＳＬとの接続が完了したことによって、ネットワークスライスＳＬから割り当て完了通知を受信すると、該ネットワークスライスＳＬが端末装置ＵＥへ割り当てたＩＰアドレスと該端末装置ＵＥが接続している無線アクセスネットワークＲＡＮ（Ｒａｄｉｏ  Ａｃｃｅｓｓ  Ｎｅｔｗｏｒｋ）を示す情報とを保持する。
また、スライス選択部ＮＳＳＦは、接続先のネットワークスライスＳＬが定めされていない場合には、接続先のネットワークスライスＳＬを複数のネットワークスライスＳＬからランダムに選択する。
端末装置ＵＥとネットワークスライスＳＬとの間の通信においては、スライス選択部ＮＳＳＦ及び無線アクセスネットワークＲＡＮが関与するが、以下ではその構成及び動作の詳細な説明を省略する。
【００１７】
ネットワークスライスＳＬは、コア・アクセス・アンド・モビリティー・マネージメント・ファンクション（Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）ＡＭＦと、セッション・マネージメント・ファンクション（Ｓｅｓｓｉｏｎ  Ｍａｎａｇｅｍｅｎｔ  Ｆｕｎｃｔｉｏｎ）ＳＭＦと、ユーザー・プレーン・ファンクション（Ｕ−ｐｌａｎｅ  ｆｕｎｃｔｉｏｎ）ＵＰＦと、ポリシー・ファンクション（Ｐｏｌｉｃｙ  Ｆｕｎｃｔｉｏｎ）ＰＣＦと、ユニファイド・データ・マネージメント（Ｕｎｉｆｉｅｄ  Ｄａｔａ  Ｍａｎａｇｅｍｅｎｔ）ＵＤＭとをその機能として備える。
【００１８】
セッション・マネージメント・ファンクションＳＭＦは、端末装置ＵＥを新たにネットワークスライスＳＬに接続する際に、端末装置ＵＥへＩＰアドレスを割り当てる。また、セッション・マネージメント・ファンクションＳＭＦは、ユーザー・プレーン・ファンクションＵＰＦを選択する。セッション・マネージメント・ファンクションＳＭＦは、ユーザー・プレーン・ファンクションＵＰＦを選択すると、該ユーザー・プレーン・ファンクションＵＰＦへ、端末装置ＵＥの通信経路を示す情報を通知する。
【００１９】
ユーザー・プレーン・ファンクションＵＰＦは、セッション・マネージメント・ファンクションＳＭＦによって選択される。ユーザー・プレーン・ファンクションＵＰＦは、端末装置ＵＥとの間においてユーザデータＵをやり取りするためのインタフェース機能を提供する。同図の例では、端末装置ＵＥは、各ネットワークスライスＳＬのユーザー・プレーン・ファンクションＵＰＦとの間において、ユーザデータＵ１〜Ｕ３をやり取りする。
【００２０】
ポリシー・ファンクションＰＣＦは、予め登録されている端末装置ＵＥの一覧に、該端末装置ＵＥが含まれる場合に該端末装置ＵＥを収容可能であると判定し、該端末装置ＵＥが含まれない場合に該端末装置ＵＥを収容できないと判定する。ポリシー・ファンクションＰＣＦは、該端末装置ＵＥを収容可能であると判定した場合、ユーザー・プレーン・ファンクションＵＰＦへ、該端末装置ＵＥのＱｏＳを通知する。
【００２１】
ユニファイド・データ・マネージメントＵＤＭは、加入者データ管理およびポリシー管理などを統合して管理する。
【００２２】
コア・アクセス・アンド・モビリティー・マネージメント・ファンクションＡＭＦは、以下の説明において接続管理機能ＡＭＦとも記載する。接続管理機能ＡＭＦは、端末装置ＵＥとネットワークスライスＳＬとの間の通信を暗号化する機能を有する。また、接続管理機能ＡＭＦは、無線アクセスネットワークＲＡＮを介して端末装置ＵＥから呼情報を取得する。端末装置ＵＥは、この一例においては移動端末であり、定期的に接続管理機能ＡＭＦに対して呼情報を通知することにより自装置の位置を登録する。
【００２３】
呼情報保存ノードＣＩＳＦは、接続管理機能ＡＭＦに対して端末装置ＵＥから通知された呼情報を保存する。
【００２４】
実施形態に係る通信システムは、ネットワークスライスＳＬ１〜ＳＬ３の間で、提供するサービスが異なる。例えば、ネットワークスライスＳＬ１はブロードバンドサービスを提供し、ネットワークスライスＳＬ２はモノのインターネット（Ｉｎｔｅｒｎｅｔ  ｏｆ  Ｔｈｉｎｇｓ：  ＩｏＴ）を提供する。このため、ネットワークスライスＳＬ１とネットワークスライスＳＬ２との間では、設定されているネットワーク機能が異なる。
通信システムに含まれるスライス選択部ＮＳＳＦ、セッション・マネージメント・ファンクションＳＭＦ、ユーザー・プレーン・ファンクションＵＰＦ、Ｐｏｌｉｃｙ  Ｆｕｎｃｔｉｏｎ等のネットワークの機能はソフトウェアで実現できる。さらに、ソフトウェアは、論理的には個別のサーバやコンピュータとみなすことができる。
以下、スライス選択部ＮＳＳＦ、セッション・マネージメント・ファンクションＳＭＦ、ユーザー・プレーン・ファンクションＵＰＦ、及びポリシー・ファンクションＰＣＦをサーバ等の情報処理装置とみなして説明を続ける。
【００２５】
[通信システム１の機能構成]
次に、図２を参照して、本実施形態の通信システム１の機能構成について説明する。
図２は、本実施形態の通信システム１の機能構成の一例を示す図である。なお、同図においては、ネットワークスライスＳＬが備える各機能のうち、接続管理機能ＡＭＦ以外の機能の記載を省略している。
接続管理機能ＡＭＦは、その機能部として、接続管理部２１０を備える。接続管理部２１０は、ネットワークスライスＳＬと端末装置ＵＥとの無線通信の接続を管理する。接続管理部２１０は、呼情報受信部２２０と、呼情報通知部２３０とを備える。
端末装置ＵＥは、通知部１１０と、故障情報受信部１２０と、第２通知部１３０とを備える。
呼情報保存ノードＣＩＳＦは、呼情報取得部３１０と、呼情報転送部３２０とを備える。
【００２６】
まず、端末装置ＵＥの機能構成について説明する。なお、ここでは、端末装置ＵＥが三つのネットワークスライスＳＬに対して呼情報を通知する場合を一例に、図２及び図３を参照しつつ説明する。端末装置ＵＥの呼情報の通知先のネットワークスライスＳＬの数が三つであるのは一例であって、通知先のネットワークスライスＳＬの数には制約がない。
【００２７】
[呼情報の転送動作の概要]
図３は、本実施形態の通信システム１による呼情報の転送動作の一例を示す図である。
（ステップＳ１０）端末装置ＵＥの通知部１１０は、無線アクセスネットワークＲＡＮを介して、ネットワークスライスＳＬの接続管理部２１０に呼情報を通知する。この一例では、通知部１１０は、ネットワークスライスＳＬ１（第１ネットワークスライスＳＬ）に対して呼情報Ｃ１１を通知する。すなわち通知部１１０は、接続管理部２１０−１に対して呼情報Ｃ１１を通知する。
この呼情報Ｃ１１には、複数のネットワークスライスＳＬのうち端末装置ＵＥが接続する対象のネットワークスライスＳＬを示す「接続先情報」が含まれている。この一例では、端末装置ＵＥは、三つのネットワークスライスＳＬ（ネットワークスライスＳＬ１〜ＳＬ３）を接続先にしている。したがって、呼情報Ｃ１１には、ネットワークスライスＳＬ１、ネットワークスライスＳＬ２及びネットワークスライスＳＬ３をそれぞれ示す情報が接続先情報として含まれている。
ここで、通知部１１０は、ネットワークスライスＳＬ２（第２ネットワークスライスＳＬ）やネットワークスライスＳＬ３に対しては、呼情報を通知しない。つまり、通知部１１０は、端末装置ＵＥの接続先の複数のネットワークスライスＳＬのうち、いずれかのネットワークスライスＳＬのみに呼情報を通知する。
換言すれば、通知部１１０は、呼情報Ｃ１１の通知先であるネットワークスライスＳＬ１以外のネットワークスライスＳＬを接続先として示す接続先情報を含む呼情報を、ネットワークスライスＳＬ１に対して通知する。
【００２８】
接続管理部２１０−１の呼情報受信部２２０−１は、通知された呼情報Ｃ１１を受信する。上述したようにこの呼情報Ｃ１１には、複数のネットワークスライスＳＬのうち、いずれかのネットワークスライスＳＬを接続先として示す接続先情報が含まれる。すなわち、呼情報受信部２２０−１は、ネットワークスライスＳＬ１、ネットワークスライスＳＬ２及びネットワークスライスＳＬ３を接続先情報として含む呼情報を端末装置ＵＥから受信する。
【００２９】
（ステップＳ２０）呼情報通知部２３０−１は、呼情報保存ノードＣＩＳＦに対して、呼情報受信部２２０が受信した呼情報Ｃ１１を、呼情報Ｃ１２として通知する。この呼情報Ｃ１２には、呼情報Ｃ１１と同様に接続先のネットワークスライスＳＬを示す接続先情報が含まれている。呼情報保存ノードＣＩＳＦの呼情報取得部３１０は、通知された呼情報Ｃ１２を取得する。
（ステップＳ３０）呼情報保存ノードＣＩＳＦは、取得した呼情報Ｃ１２を記憶する。
（ステップＳ４０）呼情報保存ノードＣＩＳＦの呼情報転送部３２０は、呼情報Ｃ１２に含まれる接続先情報が示すネットワークスライスＳＬに対して、呼情報Ｃ１２を転送する。ここで、呼情報転送部３２０は、接続先情報に含まれるネットワークスライスＳＬのうち、呼情報の通知元のネットワークスライスＳＬ（この一例ではネットワークスライスＳＬ１）以外のネットワークスライスＳＬに対して呼情報を順次転送する。すなわち、この一例の場合、ステップＳ４０において呼情報転送部３２０は、ネットワークスライスＳＬ２の呼情報受信部２２０−２に対して、呼情報Ｃ１２を呼情報Ｃ２２として転送する。
【００３０】
換言すれば、呼情報取得部３１０は、複数のネットワークスライスＳＬのうち、ネットワークスライスＳＬ１に端末装置ＵＥが通知した呼情報を、ネットワークスライスＳＬ１を管理する接続管理部２１０から取得する。
また、呼情報転送部３２０は、複数のネットワークスライスＳＬのうち、呼情報Ｃ１２に含まれる接続先情報が示すネットワークスライスＳＬ２の接続管理部２１０、すなわち接続管理部２１０−２に対して、呼情報Ｃ１２を呼情報Ｃ２２として転送する。また呼情報転送部３２０は、接続先情報が示すネットワークスライスＳＬ３の接続管理部２１０、すなわち接続管理部２１０−３に対して、呼情報Ｃ１２を呼情報Ｃ３２として転送する。
【００３１】
（ステップＳ５０）ネットワークスライスＳＬ２の接続管理部２１０−２は、呼情報Ｃ２２の転送に伴い、通常の呼処理を実行する。ここで通常の呼処理とは、位置の登録処理などの呼情報Ｃ２２に対応する処理や、当該処理が完了したことを示す応答を発呼元に通知する処理などである。
（ステップＳ６０）呼情報受信部２２０−２は、呼情報転送部３２０に対して呼情報Ｃ２２の処理が完了したことを示す応答を通知する。
【００３２】
（ステップＳ７０）呼情報転送部３２０は、接続先情報が示すネットワークスライスＳＬのうち、呼処理を完了していないネットワークスライスＳＬがある場合には、当該ネットワークスライスＳＬに対して呼情報を転送する。この一例では、ネットワークスライスＳＬ３は、呼処理が完了していない。この場合、呼情報転送部３２０は、ネットワークスライスＳＬ３の呼情報受信部２２０−３に対して、呼情報Ｃ１２を呼情報Ｃ３２として転送する。
（ステップＳ８０）ステップＳ５０における動作と同様にして、ネットワークスライスＳＬ３の接続管理部２１０−３は、呼情報Ｃ３２の転送に伴い、通常の呼処理を実行する。
（ステップＳ９０）呼情報受信部２２０−３は、呼情報転送部３２０に対して呼情報Ｃ３２の処理が完了したことを示す応答を通知する。呼情報転送部３２０は、接続先情報が示すネットワークスライスＳＬのうち、呼処理を完了していないネットワークスライスＳＬがある場合には、ステップＳ７０〜ステップＳ９０の処理を繰り返す。
【００３３】
（ステップＳ１００）呼情報転送部３２０は、接続先情報が示すネットワークスライスＳＬ２からの応答及びネットワークスライスＳＬ３からの応答を受信すると、ネットワークスライスＳＬ１に対して呼情報Ｃ１２に対する応答Ｃ１３を通知する。
すなわち、呼情報転送部３２０は、接続管理部２１０−１からの呼情報の通知に対する応答を、呼情報に含まれる接続先情報が示すネットワークスライスＳＬを管理する接続管理部２１０に対して呼情報を転送した後に行う。
ここで、接続管理部２１０−１は、ステップＳ２０での呼情報Ｃ１２の呼情報取得部３１０への通知から、呼情報転送部３２０からの呼情報Ｃ１２に対する応答Ｃ１３の受信までの時間ｔ１を計測する。接続管理部２１０−１は、計測された時間ｔ１が所定のしきい値を超える場合（つまりタイムアウトした場合）には、呼情報保存ノードＣＩＳＦからの応答がなかったものとして呼情報保存ノードＣＩＳＦの故障を疑う。
【００３４】
（ステップＳ１１０）呼情報受信部２２０−１は、呼情報Ｃ１１に対する通常の呼処理を行う。すなわち、呼情報受信部２２０−１は、呼情報Ｃ１１が通知されてすぐに通常の呼処理を行うのではなく、呼情報保存ノードＣＩＳＦに通知した呼情報Ｃ１２に対する応答Ｃ１３を受信した後に、呼情報Ｃ１１に対する通常の呼処理を行う。
【００３５】
[故障通知機能]
なお、それぞれのネットワークスライスＳＬの接続管理部２１０は、上述した接続管理部２１０−１と同様に、呼情報保存ノードＣＩＳＦの応答時間を計測する機能を有している。例えば、接続管理部２１０−２は、呼情報保存ノードＣＩＳＦに情報を通知した後、当該通知に対する応答時間を計測する。接続管理部２１０−２は、呼情報保存ノードＣＩＳＦの応答時間が所定のしきい値を超えた場合（つまりタイムアウトした場合）には、故障情報Ｃ２３を端末装置ＵＥに対して通知する。
【００３６】
端末装置ＵＥは、いずれかの接続管理部２１０から故障情報を受信すると、当該接続管理部２１０に対しては呼情報Ｃ１２を直接通知する。例えば、端末装置ＵＥの故障情報受信部１２０は、接続管理部２１０−２から故障情報Ｃ２３を受信する。この場合、端末装置ＵＥの第２通知部１３０は、ネットワークスライスＳＬ２の呼情報受信部２２０−２に対して呼情報Ｃ１４を通知する。この場合、端末装置ＵＥは、ネットワークスライスＳＬ１に対して呼情報Ｃ１１を、ネットワークスライスＳＬ２に対して呼情報Ｃ１４をそれぞれ通知する。
このように構成することにより、呼情報保存ノードＣＩＳＦが故障して呼情報の転送でできない状況である場合においても、端末装置ＵＥは、接続先のネットワークスライスＳＬに対して呼情報を通知することができる。
【００３７】
[複数のセッションがある場合]
なお、１つのネットワークスライスＳＬにおいて複数のセッションがある場合がある。例えば、図１に示すようにネットワークスライスＳＬ２には、接続管理機能ＡＭＦ２−１と、接続管理機能ＡＭＦ２−２とがある。端末装置ＵＥは、これら複数の接続管理機能ＡＭＦのうち、接続管理機能ＡＭＦ２−１とのセッションを確立する。つまり、この例の場合、端末装置ＵＥは、ネットワークスライスＳＬ２において確立可能な２つのセッションのうち、１つのセッションを確立する。この場合には、端末装置ＵＥは、呼情報Ｃ１２にセッションを示す情報を含めたうえで、この呼情報Ｃ１２をネットワークスライスＳＬに通知する。つまり、呼情報には、ネットワークスライスＳＬに含まれる複数のセッションのうち、接続先のセッションを示す情報がさらに含まれる。
このように構成することにより、端末装置ＵＥは、接続すべきネットワークスライスＳＬだけでなく確立すべきセッションを呼情報保存ノードＣＩＳＦに対して通知することができる。
【００３８】
［呼情報の通知の具体例］
これまで図２及び図３を参照して、通信システム１における呼情報の通知の概要について説明した。以下、通信システム１における呼情報の通知の具体例について図４〜図６を参照して説明する。
【００３９】
［（１）登録処理］
図４は、本実施形態の通信システム１における登録処理の動作の一例を示す図である。
（ステップＳ２１０）端末装置ＵＥは、無線アクセスネットワークＲＡＮに対して「登録要求」を呼情報として通知する。この登録要求には、ネットワークスライスＳＬを指定する接続先情報が含まれている。
（ステップＳ２２０）無線アクセスネットワークＲＡＮは、複数の接続管理機能ＡＭＦのうちからランダムに選択された接続管理機能ＡＭＦに対して登録要求を転送する。この一例では、接続管理機能ＡＭＦ１−１が登録要求の転送先として選択される。
【００４０】
（ステップＳ２３０）接続管理機能ＡＭＦ１−１は、端末装置ＵＥの認証動作を行う。具体的には、接続管理機能ＡＭＦ１−１は、ユニファイド・データ・マネージメントＵＤＭが有する顧客データベースを参照する。
（ステップＳ２４０）ユニファイド・データ・マネージメントＵＤＭは、接続管理機能ＡＭＦ１−１に顧客データベースの参照結果を応答する。
（ステップＳ２５０）接続管理機能ＡＭＦ１−１は、識別要求を端末装置ＵＥに対して出力する。
（ステップＳ２６０）端末装置ＵＥは、接続管理機能ＡＭＦ１−１からの識別要求に対して応答する。この応答により、端末装置ＵＥが認証される。
【００４１】
（ステップＳ２７０）接続管理機能ＡＭＦ１−１は、ステップＳ２２０において無線アクセスネットワークＲＡＮから転送された登録要求を、呼情報保存ノードＣＩＳＦに転送する。
（ステップＳ２８０）呼情報保存ノードＣＩＳＦは、接続管理機能ＡＭＦ１−１から転送された登録要求に含まれている接続先情報に基づいて、他の接続管理機能ＡＭＦに登録要求を転送する。この一例では、呼情報保存ノードＣＩＳＦは、接続管理機能ＡＭＦ２−１に対して登録要求を転送する。
（ステップＳ２９０）接続管理機能ＡＭＦ２−１は、登録要求を受け取ったことを呼情報保存ノードＣＩＳＦに応答する。
（ステップＳ３００）呼情報保存ノードＣＩＳＦは、接続先情報が示す他の接続管理機能ＡＭＦｎ−１に対して、登録要求を順次転送する。
（ステップＳ３１０）接続管理機能ＡＭＦｎ−１は、登録要求を受け取ったことを呼情報保存ノードＣＩＳＦに応答する。
呼情報保存ノードＣＩＳＦは、接続先情報に示されるすべての接続管理機能ＡＭＦに登録要求を転送し終えるまで、ステップＳ３００及びステップＳ３１０を繰り返す。
【００４２】
（ステップＳ３２０）呼情報保存ノードＣＩＳＦは、接続管理機能ＡＭＦ２−１及び接続管理機能ＡＭＦ３−１から応答を受け取ると、接続管理機能ＡＭＦ１−１に対して登録要求に対しての応答をする。この応答は、接続先情報が示す各接続管理機能ＡＭＦに対する登録要求の転送が完了したことを示す。
【００４３】
（ステップＳ３３０）接続管理機能ＡＭＦ１−１は、端末装置ＵＥに対して登録要求の受付完了を通知する。
（ステップＳ３４０）端末装置ＵＥは、接続管理機能ＡＭＦ１−１に対して、登録要求の受付完了の通知についての応答を行い、一連の処理を終了する。この一連の処理により、端末装置ＵＥが各接続管理機能ＡＭＦに登録要求をそれぞれ通知することなく、各接続管理機能ＡＭＦが登録要求を取得することができる。
【００４４】
［（２）ＰＤＵセッション確立処理］
図５は、本実施形態の通信システム１におけるＰＤＵセッション確立処理の動作の一例を示す図である。
（ステップＳ４１０）端末装置ＵＥは、無線アクセスネットワークＲＡＮに対して「ＰＤＵセッション確立要求」を接続管理機能ＡＭＦ１−１に転送する指示を、上述した呼情報として通知する。このＰＤＵセッション確立要求には、ネットワークスライスＳＬを指定する接続先情報が含まれている。無線アクセスネットワークＲＡＮは、端末装置ＵＥから指定された接続管理機能ＡＭＦに対してＰＤＵセッション確立要求を転送する。この一例では、無線アクセスネットワークＲＡＮは、接続管理機能ＡＭＦ１−１に対してＰＤＵセッション確立要求を転送する。
【００４５】
（ステップＳ４２０）接続管理機能ＡＭＦ１−１は、ステップＳ４２０において無線アクセスネットワークＲＡＮから転送されたＰＤＵセッション確立要求を、呼情報保存ノードＣＩＳＦに転送する。
【００４６】
（ステップＳ４３０）呼情報保存ノードＣＩＳＦは、接続管理機能ＡＭＦ１−１から転送されたＰＤＵセッション確立要求に含まれている接続先情報に基づいて、他の接続管理機能ＡＭＦにＰＤＵセッション確立要求を転送する。この一例では、呼情報保存ノードＣＩＳＦは、接続管理機能ＡＭＦ２−１に対してＰＤＵセッション確立要求を転送する。すなわち、呼情報保存ノードＣＩＳＦは、接続管理機能ＡＭＦ２−１に呼情報を転送する。
【００４７】
（ステップＳ４４０）接続管理機能ＡＭＦ２−１は、ＰＤＵセッション確立要求を含むセッション管理要求をセッション・マネージメント・ファンクションＳＭＦ２に通知する。
（ステップＳ４５０）セッション・マネージメント・ファンクションＳＭＦ２は、端末装置ＵＥの認証動作を行う。具体的には、セッション・マネージメント・ファンクションＳＭＦ２は、ユニファイド・データ・マネージメントＵＤＭ２が有する顧客データベースを参照する。
（ステップＳ４６０）ユニファイド・データ・マネージメントＵＤＭ２は、セッション・マネージメント・ファンクションＳＭＦ２に顧客データベースの参照結果を応答する。
（ステップＳ４７０）セッション・マネージメント・ファンクションＳＭＦ２は、ポリシー・ファンクションＰＣＦ２が有するＱｏＳ（Ｑｕａｌｉｔｙ  ｏｆ  Ｓｅｒｖｉｃｅ）情報を参照する。
（ステップＳ４８０）ポリシー・ファンクションＰＣＦ２は、セッション・マネージメント・ファンクションＳＭＦ２にＱｏＳ情報の参照結果を応答する。
（ステップＳ４９０）セッション・マネージメント・ファンクションＳＭＦ２は、ユーザー・プレーン・ファンクションＵＰＦ２に対して、Ｎ２ＰＤＵセッション要求を通知する。
（ステップＳ５００）ユーザー・プレーン・ファンクションＵＰＦ２は、無線アクセスネットワークＲＡＮに対してＮ２ＰＤＵセッション要求を転送する。
（ステップＳ５１０）端末装置ＵＥ及び無線アクセスネットワークＲＡＮは、端末リソースのセットアップを行う。
（ステップＳ５２０）無線アクセスネットワークＲＡＮは、ユーザー・プレーン・ファンクションＵＰＦ２に対して、Ｎ２ＰＤＵセッション要求についての応答をする。
（ステップＳ５３０）ユーザー・プレーン・ファンクションＵＰＦ２は、セッション・マネージメント・ファンクションＳＭＦ２に対して、Ｎ２ＰＤＵセッション要求についての応答をする。
（ステップＳ５４０）セッション・マネージメント・ファンクションＳＭＦ２は、接続管理機能ＡＭＦ２−１に対して、ステップＳ４４０において通知されたセッション管理要求に対する応答を行う。
【００４８】
（ステップＳ５５０）接続管理機能ＡＭＦ２−１は、呼情報保存ノードＣＩＳＦに対して、ステップＳ４３０において通知されたＰＤＵセッション確立要求に対する応答を行う。
接続先情報が示す接続管理機能ＡＭＦが更に存在する場合には、ステップＳ４３０〜ステップＳ５５０の処理を繰り返す。
【００４９】
（ステップＳ６００）呼情報保存ノードＣＩＳＦは、接続管理機能ＡＭＦ１−１に対して、ステップＳ４２０において通知されたＰＤＵセッション確立要求に対する応答を行う。すなわち、呼情報保存ノードＣＩＳＦは、接続管理機能ＡＭＦ１−１に対して、ネットワークスライスＳＬ１以外のネットワークスライスＳＬについてのＰＤＵセッション確立が完了したことを通知する。
【００５０】
（ステップＳ６１０〜ステップＳ７１０）接続管理機能ＡＭＦ１−１は、ネットワークスライスＳＬ２において行われる上述したステップＳ４４０〜ステップＳ５４０までの処理と同様の処理を、ネットワークスライスＳＬ１において行う。すなわち、接続管理機能ＡＭＦ１−１には、セッション・マネージメント・ファンクションＳＭＦから、ネットワークスライスＳＬ１についてのＰＤＵセッション確立が完了したことが通知される。
（ステップＳ７２０）接続管理機能ＡＭＦ１−１は、端末装置ＵＥに対して各ネットワークスライスＳＬについてのＰＤＵセッション確立が完了したことを通知する。この一連の処理により、端末装置ＵＥが各接続管理機能ＡＭＦに対してＰＤＵセッション確立要求をそれぞれ通知することなく、各ネットワークスライスＳＬにおいてＰＤＵセッションを確立させることができる。
【００５１】
［（３）ネットワークスライスリダイレクト処理］
図６は、本実施形態の通信システム１におけるネットワークスライスリダイレクト処理の動作の一例を示す図である。ここで、端末装置ＵＥが接続しているネットワークスライスＳＬが変更されることがある。この場合、ネットワークスライスＳＬを管理するユニファイド・データ・マネージメントＵＤＭは、無線アクセスネットワークＲＡＮに対して、端末装置ＵＥが接続すべきネットワークスライスＳＬの識別情報（スライスＩＤ）を通知する。
【００５２】
（ステップＳ８１０）端末装置ＵＥは、無線アクセスネットワークＲＡＮに対して「登録要求」を呼情報として通知する。この登録要求には、ネットワークスライスＳＬを指定する接続先情報が含まれている。
（ステップＳ８２０）無線アクセスネットワークＲＡＮは、予め登録されている接続管理機能ＡＭＦに対して登録要求を転送する。この一例では、接続管理機能ＡＭＦ１−１が接続先の接続管理機能ＡＭＦとして登録されている。この一例の場合、無線アクセスネットワークＲＡＮは、接続管理機能ＡＭＦ１−１に対して登録要求を転送する。
（ステップＳ８３０）接続管理機能ＡＭＦ１−１は、端末装置ＵＥの認証動作を行う。具体的には、接続管理機能ＡＭＦ１−１は、ユニファイド・データ・マネージメントＵＤＭが有する顧客データベースを参照する。
（ステップＳ８４０）ユニファイド・データ・マネージメントＵＤＭは、接続管理機能ＡＭＦ１−１に顧客データベースの参照結果を応答する。この応答には、リダイレクト指示とスライスＩＤとが含まれている。
（ステップＳ８５０）接続管理機能ＡＭＦ１−１は、無線アクセスネットワークＲＡＮに対して、リダイレクト通知を行う。このリダイレクト通知には、ステップＳ８４０においてユニファイド・データ・マネージメントＵＤＭから通知されたスライスＩＤが含まれている。
（ステップＳ８５０）無線アクセスネットワークＲＡＮは、端末装置ＵＥに対して、接続管理機能ＡＭＦ１−１から通知されたリダイレクト通知を転送する。この一連の処理により、無線アクセスネットワークＲＡＮには端末装置ＵＥが接続すべきネットワークスライスＳＬのスライスＩＤが登録される。
【００５３】
（ステップＳ９１０）端末装置ＵＥは、無線アクセスネットワークＲＡＮからリダイレクト通知を受けると、新たな接続先であるネットワークスライスＳＬ２に対して、登録要求を通知する。具体的には、端末装置ＵＥは、無線アクセスネットワークＲＡＮに対して「登録要求」を呼情報として通知する。この登録要求には、ネットワークスライスＳＬを指定する接続先情報が含まれている。
（ステップＳ９２０）無線アクセスネットワークＲＡＮは、接続管理機能ＡＭＦ２−１に対して登録要求を転送する。
（ステップＳ９３０）接続管理機能ＡＭＦ２−１は、端末装置ＵＥの認証動作を行う。具体的には、接続管理機能ＡＭＦ２−１は、ユニファイド・データ・マネージメントＵＤＭ２が有する顧客データベースを参照する。
（ステップＳ９４０）ユニファイド・データ・マネージメントＵＤＭ２は、接続管理機能ＡＭＦ２−１に顧客データベースの参照結果を応答する。
（ステップＳ９５０）接続管理機能ＡＭＦ２−１は、識別要求を端末装置ＵＥに対して出力する。
（ステップＳ９６０）端末装置ＵＥは、接続管理機能ＡＭＦ２−１からの識別要求に対して応答する。この応答により、端末装置ＵＥが認証される。
（ステップＳ９７０）接続管理機能ＡＭＦ２−１は、端末装置ＵＥに対して登録要求の受付完了を通知する。
（ステップＳ９８０）端末装置ＵＥは、接続管理機能ＡＭＦ２−１に対して、登録要求の受付完了の通知についての応答を行い、一連の処理を終了する。この一連の処理により、接続先のネットワークスライスＳＬが変更された場合に、呼情報保存ノードＣＩＳＦが呼情報を転送する環境においても、端末装置ＵＥが各接続管理機能ＡＭＦに登録要求をそれぞれ通知することなく、各接続管理機能ＡＭＦが登録要求を取得することができる。
【００５４】
［従来の技術との比較］
図７は、従来技術による複数のネットワークスライスＳＬへの接続の一例を示す図である。この従来技術の場合、端末装置ＵＥは、ユーザー・プレーン・ファンクションＵＰＦとの間において、ユーザデータＰＵ１〜ＰＵ３をやり取りする。
この従来技術においては、端末装置ＵＥが複数のネットワークスライスＳＬに接続する場合、端末装置ＵＥは、各ネットワークスライスＳＬの接続管理機能ＡＭＦに対して直接、呼情報を通知していた。具体的には、同図に示すように、端末装置ＵＥが三つのネットワークスライスＳＬに接続する場合、端末装置ＵＥは、接続管理機能ＡＭＦ１−１に対して呼情報ＰＣ１を、接続管理機能ＡＭＦ２−１に対して呼情報ＰＣ２を、接続管理機能ＡＭＦ３−１に対して呼情報ＰＣ３をそれぞれ通知していた。
ところが、この従来技術によると、端末装置ＵＥが接続すべきネットワークスライスＳＬが増えれば増えるほど、無線リソースの消費量が増大するという問題がある。またこの従来技術によると、端末装置ＵＥが各ネットワークスライスＳＬにそれぞれ呼情報を通知するため、端末装置ＵＥの消費電力が増大してしまうという問題がある。また、端末装置ＵＥがバッテリー駆動の場合には、動作可能時間が短くなってしまうという問題がある。
【００５５】
一方、本実施形態の通信システム１によれば、端末装置ＵＥが各ネットワークスライスＳＬに呼情報を通知しなくても、各ネットワークスライスＳＬに対して呼情報が通知される仕組みを有している。したがって、本実施形態の通信システム１によれば、端末装置ＵＥが接続すべきネットワークスライスＳＬが増えたとしても、端末装置ＵＥとネットワークスライスＳＬとの間の無線リソースの消費量が増えない。また、本実施形態の通信システム１によれば、端末装置ＵＥがネットワークスライスＳＬに対して呼情報を通知する頻度が従来技術に比べて低下するため、端末装置ＵＥの電力の消費を抑制することができる。つまり、本実施形態の通信システム１によれば、接続すべきネットワークスライスＳＬ数の増加による無線リソースの消費や端末装置の電力の消費を抑制することができる。
【００５６】
なお、本実施形態の呼情報には、スライスＩＤ、信号処理を実施した接続管理機能ＡＭＦのＩＰアドレス、端末装置ＵＥとＮＡＳ（Ｎｏｎ  Ａｃｃｅｓｓ  Ｓｔｒａｔｕｍ）との間において信号処理を実施するための暗号鍵や、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）などの識別子、端末が保持している場合はＩＰアドレス、無線アクセスネットワークＲＡＮのＩＰアドレス、端末が接続しているｃｅｌｌやＴＡといった情報が含まれる。
【００５７】
以上、本発明の実施形態及びその変形を説明したが、これらの実施形態及びその変形は、例として提示したものであり、発明の範囲を限定することは意図していない。これら実施形態及びその変形は、その他の様々な形態で実施されることが可能であり、発明の要旨を逸脱しない範囲で、種々の省略、置き換え、変更を行うことができる。これら実施形態及びその変形は、発明の範囲や要旨に含まれると同時に、特許請求の範囲に記載された発明とその均等の範囲に含まれるものである。
【００５８】
なお、上述の各装置は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００５９】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００６０】
１…通信システム、１１０…通知部、１２０…故障情報受信部、１３０…第２通知部、２１０…接続管理部、２２０…呼情報受信部、２３０…呼情報通知部、３１０…呼情報取得部、３２０…呼情報転送部、ＵＥ…端末装置、ＡＭＦ…接続管理機能、ＣＩＳＦ…呼情報保存ノード、ＳＬ…ネットワークスライス（コアネットワークスライス）
【図１】
2018170748.tif 000003
【図２】
2018170748.tif 000004
【図３】
2018170748.tif 000005
【図４】
2018170748.tif 000006
【図５】
2018170748.tif 000007
【図６】
2018170748.tif 000008
【図７】
2018170748.tif 000009